(57)【要約】【課題】  接点端子と接続端子の接続状態に関する正確な検出動作を確保する。【解決手段】  複数の接点端子を有する装置本体に着脱可能とされ、装置本体に取り付けられたときに複数の接点端子にそれぞれ接続されて装置本体との間で信号の送受信を行う複数の接続端子と、ロック位置と非ロック位置の間で操作されロック位置に操作されて装置本体に対するロックを行うロックレバーと、ロックレバーがロック位置に操作されたときに複数の接点端子と複数の接続端子との接続状態の検出動作を開始する検出作動部とを設けた。【選択図】        図１４
2013068833.tif 000002
【特許請求の範囲】
【請求項１】
複数の接点端子を有する装置本体に着脱可能とされ、
前記装置本体に取り付けられたときに前記複数の接点端子にそれぞれ接続されて前記装置本体との間で信号の送受信を行う複数の接続端子と、
ロック位置と非ロック位置の間で操作され前記ロック位置に操作されて前記装置本体に対するロックを行うロックレバーと、
前記ロックレバーが前記ロック位置に操作されたときに前記複数の接点端子と前記複数の接続端子との接続状態の検出動作を開始する検出作動部とを備えた
アクセサリー。
【請求項２】
前記検出作動部が検出スイッチと前記検出スイッチを操作して前記検出スイッチを動作させる操作部とから成り、
前記検出スイッチと前記操作部の一方が固定された状態で配置され、
前記検出スイッチと前記操作部の他方が前記ロックレバーとともに移動されるようにした
請求項１に記載のアクセサリー。
【請求項３】
前記検出スイッチが固定された状態で配置され、
前記操作部が前記ロックレバーとともに移動されるようにした
請求項２に記載のアクセサリー。
【請求項４】
前記操作部がロックレバーに取り付けられた
請求項３に記載のアクセサリー。
【請求項５】
前記検出スイッチとして前記操作部の接触により動作される接触型のスイッチを用い、
前記操作部の前記検出スイッチに接する部分の外面が外方へ凸の曲面状に形成された
請求項２に記載のアクセサリー。
【請求項６】
前記検出スイッチとして磁界の変化に基づいて動作される非接触型のスイッチを用いた
請求項２に記載のアクセサリー。
【請求項７】
前記ロックレバーの移動に伴って移動されるクリック球と、
前記クリック球が転動される転動面を有し前記クリック球が嵌合可能な嵌合凹部が形成された固定部と、
前記クリック球を前記転動面に押し付ける付勢バネとを設け、
前記ロックレバーがロック位置に移動されたときに前記クリック球が前記嵌合凹部に嵌合されるようにした
請求項１に記載のアクセサリー。
【請求項８】
前記付勢バネを保持するバネケースを設け、
前記バネケースに前記操作部を設けた
請求項７に記載のアクセサリー。
【請求項９】
複数の接点端子を有する装置本体と、
前記装置本体に着脱可能とされると共に前記装置本体に取り付けられたときに前記複数の接点端子にそれぞれ接続されて前記装置本体との間で信号の送受信を行う複数の接続端子を有するアクセサリーとを備え、
ロック位置と非ロック位置の間で操作され前記ロック位置に操作されて前記装置本体に対する前記アクセサリーのロックを行うロックレバーと、
前記ロックレバーが前記ロック位置に操作されたときに前記複数の接点端子と前記複数の接続端子との接続状態の検出動作を開始する検出作動部とを設けた
撮像装置。
【請求項１０】
複数の接点端子を有する装置本体に複数の接続端子を有するアクセサリーが取り付けられて前記複数の接点端子と前記複数の接続端子とがそれぞれ接続され、
ロック位置と非ロック位置の間で操作されるロックレバーが前記ロック位置に操作されて前記アクセサリーが前記装置本体にロックされるときに前記複数の接点端子と前記複数の接続端子との接続状態の検出動作が開始されるようにした
検出方法。
【発明の詳細な説明】
【技術分野】
【０００１】
本技術はアクセサリー、撮像装置及び検出方法についての技術分野に関する。詳しくは、ロックレバーが操作されてロックされたときに複数の接点端子と複数の接続端子との接続状態の検出動作が開始されるようにして接点端子と接続端子の接続状態に関する正確な検出動作を確保する技術分野に関する。
【背景技術】
【０００２】
スチルカメラ等の撮像装置には、装置本体の前面に交換レンズが着脱可能とされたタイプがあり、交換レンズが取り付けられることにより機能性の向上が図られる。また、交換レンズは装置本体にアダプターを介して取り付けられる場合もあり、これらの交換レンズやアダプターは撮像装置におけるアクセサリーとして用いられる。
【０００３】
このようなアクセサリーが着脱可能とされた撮像装置にあっては、アクセサリーの装置本体に対する取付の方式として、アクセサリーの全体を装置本体に対して回転させアクセサリーの係合部を装置本体の係合部に係合する所謂バヨネット方式とアクセサリー又は装置本体に設けられたロックレバーを操作してアクセサリーの係合部を装置本体の係合部に係合する所謂スピゴット方式とがある（例えば、特許文献１参照）。
【０００４】
バヨネット方式にあっては、アクセサリーを装置本体の前面に前方から押し付けた状態でアクセサリーの全体を一定の角度回転させることにより装置本体に対する取付を行う。
【０００５】
このようなバヨネット方式にあっては、ロックレバーが存在しないためアクセサリーの構造が簡素であるが、アクセサリーの全体を装置本体に対して回転させるため、アクセサリーとの干渉の回避を考慮して装置本体の各部をアクセサリーの回転軌跡から退避した位置に設ける必要があり、撮像装置の設計の自由度が低いと言う不都合がある。
【０００６】
一方、スピゴット方式にあっては、アクセサリーを装置本体の前面に前方から押し付けた状態でロックレバーを操作して一定の角度回転させることにより装置本体に対する取付を行う。
【０００７】
このようなスピゴット方式にあっては、ロックレバーの操作によってアクセサリーが装置本体に取り付けられアクセサリーの全体を装置本体に対して回転させる必要がないため、撮像装置の設計の自由度が高いと言う長所を有している。また、重量の大きなアクセサリーの全体を回転させる必要がないため、アクセサリーの装置本体に対する着脱を容易に行うことが可能であると言う利点も有している。
【０００８】
【特許文献１】特開平０６−５１３８６号公報
【発明の開示】
【発明が解決しようとする課題】
【０００９】
ところで、上記のような装置本体に対してアクセサリーの着脱が可能とされた撮像装置にあっては、例えば、交換レンズの内部に配置されたレンズ群やアダプターに設けられたフォーカスセンサー等の駆動を可能にするために、装置本体にアクセサリーが取り付けられた状態において、アクセサリーと装置本体の間で正常な交信が行われるようにする必要がある。
【００１０】
そこで、撮像装置にあっては、装置本体とアクセサリーにそれぞれ複数の接点端子と複数の接続端子とが設けられ、装置本体にアクセサリーが取り付けられたときに複数の接点端子と複数の接続端子とがそれぞれ接続されて装置本体とアクセサリーの間での信号の送受信が可能な状態になるように構成されている。
【００１１】
各接点端子と各接続端子はそれぞれ電源用、接地用等の各機能を有しており、接点端子と接続端子には他の全ての端子同士の接続が正常に行われたことを検出するための検出用の端子が存在する。従って、検出用の端子は他の全ての端子が接続された状態において最後に接続が行われる必要がある。
【００１２】
そこで、バヨネット方式の撮像装置においては、接点端子と接続端子の各端子がそれぞれ周方向に並んで設けられ検出用の各端子がそれぞれ周方向における一端に位置され、アクセサリーの装置本体への取付時にアクセサリーの全体が装置本体に対して回転されたときに、各接点端子と各接続端子が順に接続されて最後に検出用の端子同士が接続されるように構成されている。
【００１３】
ところが、スピゴット方式の撮像装置においては、アクセサリーを装置本体の前面に前方から押し付けた状態で接点端子と接続端子の各端子同士が接続されるため、検出用の端子同士の接続が他の全ての端子同士の接続が行われたにとに接続されるとは限らない。従って、ロックレバーが操作されてロックされたときに検出用端子による正確な検出動作が行われないおそれがある。
【００１４】
そこで、本技術アクセサリー、撮像装置及び検出方法は、上記した問題点を克服し、接点端子と接続端子の接続状態に関する正確な検出動作を確保することを課題とする。
【課題を解決するための手段】
【００１５】
第１に、アクセサリーは、上記した課題を解決するために、複数の接点端子を有する装置本体に着脱可能とされ、前記装置本体に取り付けられたときに前記複数の接点端子にそれぞれ接続されて前記装置本体との間で信号の送受信を行う複数の接続端子と、ロック位置と非ロック位置の間で操作され前記ロック位置に操作されて前記装置本体に対するロックを行うロックレバーと、前記ロックレバーが前記ロック位置に操作されたときに前記複数の接点端子と前記複数の接続端子との接続状態の検出動作を開始する検出作動部とを備えたものである。
【００１６】
従って、アクセサリーにあっては、複数の接点端子と複数の接続端子とがそれぞれ接続された状態において検出作動部が動作される。
【００１７】
第２に、上記したアクセサリーにおいては、前記検出作動部が検出スイッチと前記検出スイッチを操作して前記検出スイッチを動作させる操作部とから成り、前記検出スイッチと前記操作部の一方が固定された状態で配置され、前記検出スイッチと前記操作部の他方が前記ロックレバーとともに移動されるようにすることが望ましい。
【００１８】
検出スイッチと操作部の一方が固定された状態で配置され、検出スイッチと操作部の他方がロックレバーとともに移動されるようにすることにより、操作部と検出スイッチの一方が移動されて検出スイッチが操作部によって操作される。
【００１９】
第３に、上記したアクセサリーにおいては、前記検出スイッチが固定された状態で配置され、前記操作部が前記ロックレバーとともに移動されるようにすることが望ましい。
【００２０】
検出スイッチが固定された状態で配置され、操作部がロックレバーとともに移動されるようにすることにより、操作部が移動されて検出スイッチが操作部によって操作される。
【００２１】
第４に、上記したアクセサリーにおいては、前記操作部がロックレバーに取り付けられることが望ましい。
【００２２】
操作部がロックレバーに取り付けられることにより、操作部がロックレバーの移動に伴って移動される。
【００２３】
第５に、上記したアクセサリーにおいては、前記検出スイッチとして前記操作部の接触により動作される接触型のスイッチを用い、前記操作部の前記検出スイッチに接する部分の外面が外方へ凸の曲面状に形成されることが望ましい。
【００２４】
検出スイッチとして操作部の接触により動作される接触型のスイッチを用い、操作部の検出スイッチに接する部分の外面が外方へ凸の曲面状に形成されることにより、操作部の曲面状の外面が検出スイッチに接触されて検出スイッチが操作部によって操作される。
【００２５】
第６に、上記したアクセサリーにおいては、前記検出スイッチとして磁界の変化に基づいて動作される非接触型のスイッチを用いることが望ましい。
【００２６】
検出スイッチとして磁界の変化に基づいて動作される非接触型のスイッチを用いることにより、操作部の検出スイッチの位置の変化により検出スイッチが操作部によって操作される。
【００２７】
第７に、上記したアクセサリーにおいては、前記ロックレバーの移動に伴って移動されるクリック球と、前記クリック球が転動される転動面を有し前記クリック球が嵌合可能な嵌合凹部が形成された固定部と、前記クリック球を前記転動面に押し付ける付勢バネとを設け、前記ロックレバーがロック位置に移動されたときに前記クリック球が前記嵌合凹部に嵌合されるようにすることが望ましい。
【００２８】
ロックレバーがロック位置に移動されたときにクリック球が嵌合凹部に嵌合されるようにすることにより、ロックレバーがロック位置に移動されてロックレバーのロックが行われた感触が使用者（操作者）に伝達される。
【００２９】
第８に、上記したアクセサリーにおいては、前記付勢バネを保持するバネケースを設け、前記バネケースに前記操作部を設けた
ことが望ましい。
【００３０】
付勢バネを保持するバネケースを設け、バネケースに操作部を設けることにより、バネケースに付勢バネが保持されると共にバネケースの一部によって検出スイッチが操作される。
【００３１】
撮像装置は、上記した課題を解決するために、複数の接点端子を有する装置本体と、前記装置本体に着脱可能とされると共に前記装置本体に取り付けられたときに前記複数の接点端子にそれぞれ接続されて前記装置本体との間で信号の送受信を行う複数の接続端子を有するアクセサリーとを備え、ロック位置と非ロック位置の間で操作され前記ロック位置に操作されて前記装置本体に対する前記アクセサリーのロックを行うロックレバーと、前記ロックレバーが前記ロック位置に操作されたときに前記複数の接点端子と前記複数の接続端子との接続状態の検出動作を開始する検出作動部とを設けたものである。
【００３２】
従って、撮像装置にあっては、複数の接点端子と複数の接続端子とがそれぞれ接続された状態において検出作動部が動作される。
【００３３】
検出方法は、上記した課題を解決するために、複数の接点端子を有する装置本体に複数の接続端子を有するアクセサリーが取り付けられて前記複数の接点端子と前記複数の接続端子とがそれぞれ接続され、ロック位置と非ロック位置の間で操作されるロックレバーが前記ロック位置に操作されて前記アクセサリーが前記装置本体にロックされるときに前記複数の接点端子と前記複数の接続端子との接続状態の検出動作が開始されるようにしたものである。
【００３４】
従って、検出方法にあっては、複数の接点端子と複数の接続端子とがそれぞれ接続された状態において検出作動部が動作される。
【発明の効果】
【００３５】
本技術アクセサリー、撮像装置及び検出方法は、複数の接点端子と複数の接続端子とが接続された状態において検出動作が行われるため、接点端子と接続端子の接続状態に関する正確な検出動作を確保することができる。
【発明を実施するための最良の形態】
【００３６】
以下に、本技術を実施するための最良の形態を添付図面に従って説明する。
【００３７】
以下に示した最良の形態は、本技術撮像装置をスチルカメラに適用し、本技術アクセサリーをこのスチルカメラにおけるアクセサリーに適用し、本技術検出方法をこのスチルカメラにおける検出方法に適用したものである。
【００３８】
尚、本技術の適用範囲はスチルカメラ、このスチルカメラにおけるアクセサリー及びこのスチルカメラにおける検出方法に限られることはない。本技術は、例えば、スチルカメラ以外のビデオカメラ等の他の各種の撮像装置、これらの各種の撮像装置におけるアクセサリー及びこれらの各種の撮像装置における検出方法に広く適用することができる。
【００３９】
以下の説明にあっては、スチルカメラの撮影時において撮影者から見た方向で前後上下左右の方向を示すものとする。従って、被写体側が前方となり、撮影者側が後方となる。
【００４０】
尚、以下に示す前後上下左右の方向は説明の便宜上のものであり、本技術の実施に関しては、これらの方向に限定されることはない。
【００４１】
［撮像装置の概略構成］
撮像装置１は装置本体２とアクセサリー３を備えている（図１及び図２参照）。アクセサリー３はアダプター４と交換レンズ５によって構成され、又は、交換レンズ５によって構成されている。即ち、交換レンズ５がアダプター４を介して装置本体２に取り付けられる場合には、アクセサリー３がアダプター４と交換レンズ５によって構成され、交換レンズ５がアダプター４を介さないで装置本体２に取り付けられる場合には、アクセサリー３が交換レンズ５によって構成される。
【００４２】
尚、以下には、アクセサリー３がアダプター４と交換レンズ５によって構成されている場合について説明する。
【００４３】
［装置本体の構成］
装置本体２は筐体６の内外に所要の各部が配置されて成る（図１及び図２参照）。
【００４４】
筐体６の上面には各種の入力操作部２ａ、２ａ、・・・が配置されている。入力操作部２ａ、２ａ、・・・としては、例えば、電源釦、シャッター釦、モード切替摘子等が設けられている。
【００４５】
筐体６の後面には図示しない各種の入力操作部とディスプレイが配置されている。入力操作部としては、例えば、ズームスイッチやモード切替摘子等が設けられている。
【００４６】
筐体６の前面には円形状の開口６ａが形成され、開口６ａの周囲の部分がアダプター４を取り付けるための取付部７として設けられている。
【００４７】
筐体６の内部にはＣＣＤ（Charge Coupled Device）やＣＭＯＳ（Complementary Metal-Oxide Semiconductor）等の撮像素子８が配置され、撮像素子８は開口６ａの後方に位置されている。
【００４８】
筐体６の内部には開口６ａの後側に前方を向く接点配置部６ｂが設けられ、接点配置部６ｂに接点部９が配置されている。接点部９は接点配置部６ｂの下端部に配置され、円弧状に形成されている。接点部９は長手方向（周方向）において離隔して位置された複数の接点端子９ａ、９ａ、・・・を有し、開口６ａの後方において開口６ａに沿う位置に配置されている。
【００４９】
取付部７には前後方向を向く板状の円環状に形成されたマウントリング１０が設けられ、マウントリング１０の右端寄りの位置には前後に貫通された突部配置孔が形成されている。
【００５０】
取付部７には解除釦１１が配置されている（図３参照）。解除釦１１は前後方向へ移動可能とされ、押圧操作部１１ａと規制突部１１ｂを有し、両者が一体になって前後方向へ移動される。解除釦１１は図示しないバネ部材によって前方へ付勢され、押圧操作部１１ａがマウントリング１０の外側に位置され、規制突部１１ｂの先端部がバネ部材の付勢力によってマウントリング１０の突部配置孔から前方へ突出されている。
【００５１】
取付部７にはマウントリング１０の内周側に係合突条部１２、１３、１４が周方向に離隔して設けられている。係合突条部１２、１３、１４はマウントリング１０に沿う円弧状に形成され、それぞれ円弧方向における長さが異なるようにされている。係合突条部１２、１３、１４の後側には接点配置部６ｂとの間にそれぞれ空間が形成され、係合突条部１２、１３、１４間の部分（空間）はそれぞれ挿入部１５、１６、１７として形成されている。挿入部１５、１６、１７の周方向における長さは異なるようにされている。
【００５２】
［アダプターの構成］
アダプター４はボデイ１８の内外に所要の各部が配置されて成る（図１、図２、図４及び図５参照）。
【００５３】
ボデイ１８は前後方向が軸方向とされた略円筒状に形成された被取付部１９と被取付部１９からそれぞれ上下に突出された突部２０、２０とから成り、突部２０、２０には所定の機能を発揮する図示しない機能部、例えば、オートフォーカスセンサー等が内蔵されている。
【００５４】
被取付部１９の前面１９ａには前後方向を向く板状の円環状に形成された結合用リング２１が取り付けられている（図１及び図２参照）。結合用リング２１には交換レンズ５が結合される。交換レンズ５のアダプター４に対する取付は、交換レンズ５の全体をアダプター４に対して回転させて行うバヨネット方式又は図示しないレバーを操作して行うスピゴット方式による。被取付部１９の前面側には図示しないロック機構が設けられており、交換レンズ５はアダプター４の結合用リング２１にロック機構によってロックされた状態で取り付けられる。
【００５５】
被取付部１９には側方（左方）及び後方に開口された周方向に延びる移動用切欠２２が形成されている（図４及び図５参照）。被取付部１９には移動用切欠２２と内部を連通する挿通用スリット１９ｂが形成されている。挿通用スリット１９ｂは移動用切欠２２を形成する外方を向く底面２２ａに開口され、周方向に延びるようにされている。
【００５６】
被取付部１９には移動用切欠２２の底面２２ａから外方へ突出されたロック突部１９ｃが設けられ、ロック突部１９ｃは挿通用スリット１９ｂの下端部における直ぐ前側に位置されている。
【００５７】
ボデイ１８には接続部２３が配置されている。接続部２３は被取付部１９の下端寄りの位置に配置され被取付部１９から後方へ突出されている。接続部２３は長手方向（周方向）において離隔して位置された複数の接続端子２３ａ、２３ａ、・・・を有している。接続端子２３ａ、２３ａ、・・・は装置本体２の接点部９に設けられた接点端子９ａ、９ａ、・・・と同数が同じピッチで設けられている。
【００５８】
被取付部１９の後面１９ｄには着脱部２４が設けられている。着脱部２４は固定リング２５と可動リング２６を有している。
【００５９】
固定リング２５は前後方向を向く板状の円環状に形成され、固定されている。
【００６０】
固定リング２５には、左端側の部分に前方に開口された嵌合凹部２５ａ、２５ｂが周方向に離隔して形成され、右端側の部分に回転規制孔２５ｃが形成されている（図４乃至図６参照）。
【００６１】
固定リング２５の前面には下側に位置する嵌合凹部２５ｂの近傍に配線板２７の一端部が取り付けられている。配線板２７は、例えば、フレキシブルプリント配線板であり、一端部が検出スイッチ２７ａとして機能し、他端部が図示しない接続端子部として設けられている。
【００６２】
可動リング２６は略円筒状のリング部２８とリング部２８の前縁における一部を除いた部分から外方へ張り出された結合面部２９とから成る（図７参照）。
【００６３】
リング部２８は軸方向に短い形状に形成され、後端部から外方へ張り出された係合部２８ａ、２８ｂ、２８ｃを有している（図４及び図５参照）。係合部２８ａ、２８ｂ、２８ｃは円弧状に形成され、周方向における長さが装置本体２におけるマウントリング１０の係合突条部１２、１３、１４間に形成された挿入部１５、１６、１７の周方向における長さよりそれぞれ僅かに短くされている。可動リング２６はリング部２８が固定リング２５の内側開口縁から後方へ突出され結合面部２９が固定リング２５の前面に対向した状態で固定リング２５に対して回転可能とされている。
【００６４】
可動リング２６における結合面部２９の前面にはロックレバー３０がネジ止め等によって結合されている（図６乃至図８参照）。
【００６５】
ロックレバー３０は連結アーム３１と連結アーム３１の一端部に取り付けられた被操作部３２とを有している。
【００６６】
連結アーム３１は中間部がボデイ１８の被取付部１９に形成された挿通用スリット１９ｂに挿通され、内側の端部が結合面部２９にネジ止め等によって取り付けられ、外側の端部が被取付部１９の移動用切欠２２に位置されている。
【００６７】
連結アーム３１の中間部には上下に貫通された配置孔３１ａが形成され、配置孔３１ａにはバネケース３３が挿入されて配置されている。
【００６８】
バネケース３３は前後方向を向く円板状のベース部３４とベース部３４から後方へ突出された挿入軸部３５とベース部３４の外周面から側方へ突出されたアーム部３６とアーム部３６の先端部から後方へ突出された操作部３７とから成る（図６参照）。
【００６９】
バネケース３３にはベース部３４の後面に開口されたバネ支持穴３３ａが形成され、バネ支持穴３３ａに圧縮コイルバネである付勢バネ３８が配置されている。
【００７０】
ベース部３４と挿入軸部３５は同軸上に位置され、挿入軸部３５の外径がベース部３４の外径より小さくされている。
【００７１】
操作部３７は後方に凸の略半球状に形成され、外面３７ａが曲面状（球面状）に形成されている。
【００７２】
バネケース３３は挿入軸部３５が連結アーム３１の配置孔３１ａに後方から挿入される。挿入軸部３５が配置孔３１ａに挿入された状態において、クリック球３９が付勢バネ３８の後端部に支持され、クリック球３９に付勢バネ３８の付勢力が付与される。従って、クリック球３９は付勢バネ３８の付勢力によって固定リング２５の前面に押し付けられる。
【００７３】
被操作部３２は内方（右方）に開口された箱状に形成され、連結アーム３１の外側の端部にネジ止め等によって取り付けられて移動用切欠２２に位置されている。被操作部３２の上端部には略左右に貫通されたピン挿通孔３２ａが形成されている。
【００７４】
被操作部３２にはロック片４０が回動自在に支持されている（図６及び図８参照）。ロック片４０は回動支点軸が前後方向に延び、略上下方向に延びる形状に形成され、下端部に内方へ突出されたロック用係合部４０ａを有し、上端部に外方へ突出された操作ピン４０ｂを有している。ロック片４０は操作ピン４０ｂ以外の部分が被操作部３２の内部に位置され、操作ピン４０ｂがピン挿通孔３２ａに挿通され先端部が被操作部３２から外方へ突出されている。
【００７５】
被操作部３２の内部には捩じりコイルバネ４１が配置され、ロック片４０はロック用係合部４０ａが移動用切欠２２の底面２２ａに接近する方向へ付勢されている。従って、ロック片４０は捩じりコイルバネ４１の付勢力によってロック用係合部４０ａが移動用切欠２２の底面２２ａに押し付けられる。
【００７６】
ロックレバー３０は被操作部３２が移動用切欠２２において移動可能とされ、上方の移動端である非ロック位置と下方の移動端であるロック位置との間で移動される。ロックレバー３０の移動に伴って可動リング２６が回転される。
【００７７】
交換レンズ５の内部には図示しないレンズ群及びレンズ群を光軸方向へ移動させる図示しない駆動機構が配置されている。駆動機構は交換レンズ５と装置本体２の交信が可能な状態において、装置本体２の内部に配置された図示しない制御部からの指令によって動作される。
【００７８】
［アダプターの装置本体に対する着脱時の動作］
以下に、アダプター４の装置本体２に対する着脱時の動作について説明する（図９乃至図１５参照）。
【００７９】
先ず、アダプター４が非ロック位置（図９参照）にある状態にする。アダプター４が非ロック位置にある状態においては、バネケース３３の操作部３７が固定リング２５に取り付けられた配線板２７の検出スイッチ２７ａから周方向に離隔され、クリック球３９が付勢バネ３８の付勢力によって固定リング２５の前面に押し付けられている（図１０及び図１１参照）。このとき、クリック球３９は一部が固定リング２５に形成された嵌合凹部２５ａに挿入されている。
【００８０】
次に、アダプター４の可動リング２６のリング部２８における係合部２８ａ、２８ｂ、２８ｃをそれぞれ係合突条部１２、１３、１４間に形成された挿入部１５、１６、１７に挿入し、固定リング２５を装置本体２のマウントリング１０に前方から押し付ける。このとき、上記したように、係合部２８ａ、２８ｂ、２８ｃと挿入部１５、１６、１７の長さがそれぞれ異なるようにされている。従って、アダプター４は係合部２８ａ、２８ｂ、２８ｃがそれぞれ挿入部１５、１６、１７に対応して位置された向き以外の向きでは装置本体２に取り付けられないため、装置本体２に対するアダプター４の誤った向きでの取付が防止される。
【００８１】
アダプター４の固定リング２５が装置本体２のマウントリング１０に前方から押し付けられると、解除釦１１の規制突部１１ｂが固定リング２５の回転規制孔２５ｃに挿入され、アダプター４の装置本体２に対する回転が規制される。このとき、装置本体２における接点部９の接点端子９ａ、９ａ、・・・にそれぞれアダプター４における接続部２３の接続端子２３ａ、２３ａ、・・・が接続される。また、装置本体２の図示しない端子部にアダプター４の配線板２７の他端部に設けられた接続端子部が接続される。
【００８２】
次に、ロックレバー３０を非ロック位置からロック位置へ向けて操作する。ロックレバー３０がロック位置へ向けて操作されるときには可動リング２６がロックレバー３０と一体になって回転され、可動リング２６の係合部２８ａ、２８ｂ、２８ｃがそれぞれ係合突条部１２、１３、１４の後側の空間に挿入されていく。このときロック片４０はロック用係合部４０ａが移動用切欠２２の底面２２ａに摺動され、クリック球３９が固定リング２５の前面に摺動される。バネケース３３の操作部３７は配線板２７の検出スイッチ２７ａの一端縁に接触される（図１２参照）。
【００８３】
引き続きロックレバー３０が操作されてロック位置まで移動されると、可動リング２６の係合部２８ａ、２８ｂ、２８ｃの全体がそれぞれ係合突条部１２、１３、１４の後側の空間に挿入されて係合突条部１２、１３、１４に係合される（図１３参照）。
【００８４】
ロックレバー３０がロック位置まで移動されるときには、ロック片４０はロック用係合部４０ａがロック突部１９ｃに摺動され、一旦捩じりコイルバネ４１の付勢力に反して回動され再び捩じりコイルバネ４１の付勢力によって回動されてロック突部１９ｃに係合される。従って、可動リング２６の回転が規制されてそれぞれ係合部２８ａ、２８ｂ、２８ｃの係合突条部１２、１３、１４に対する係合状態が保持され、アダプター４の装置本体２に対するロックが行われる。
【００８５】
ロックレバー３０がロック位置まで移動されたときには、同時に、クリック球３９が固定リング２５の嵌合凹部２５ｂの真上に移動され、付勢バネ３８の付勢力によってクリック球３９の一部が嵌合凹部２５ｂに挿入される（図１４参照）。従って、ロックレバー３０がロック位置に移動されてロックレバー３０のロックが行われた感触が使用者（操作者）に所謂クリック感として伝達される。
【００８６】
このようにクリック球３９の一部が嵌合凹部２５ｂに挿入されることにより、使用者にロックレバー３０がロック位置に移動されてロックレバー３０のロックが行われた感触が伝達されるため、使い勝手の向上を図ることができる。
【００８７】
また、ロックレバー３０がロック位置まで移動されたときには、バネケース３３の操作部３７が配線板２７の検出スイッチ２７ａ上に乗り上げて検出スイッチ２７ａが操作部３７によって操作される（図１４及び図１５参照）。
【００８８】
このとき、操作部３７の外面３７ａが曲面状に形成されているため、操作部３７が検出スイッチ２７ａ上に円滑に乗り上げ、操作部３７による検出スイッチ２７ａの操作を確実かつ円滑に行うことができる。
【００８９】
また、操作部３７の外面３７ａが曲面状に形成されているため、操作部３７による検出スイッチ２７ａに対する操作時における検出スイッチ２７ａの傷付きを防止することができる。
【００９０】
さらに、アーム部３６の先端部の前側には連結アーム３１の一部が近接した状態で位置されており（図１４参照）、操作部３７が検出スイッチ２７ａ上に乗り上げたときのアーム部３６の過度の撓みが防止される。従って、操作部３７によってスイッチ２７ａを確実に操作することができる。
【００９１】
上記のように、操作部３７によって検出スイッチ２７ａが操作されたときには、装置本体２における接点部９の接点端子９ａ、９ａ、・・・にそれぞれアダプター４における接続部２３の接続端子２３ａ、２３ａ、・・・の全てが接続されたか否かの検出動作が開始される。即ち、操作部３７によって検出スイッチ２７ａが操作されると、装置本体２の制御部に配線板２７及び配線板２７の他端部が接続された装置本体２の端子部を介して操作信号が送出され、送出された操作信号に基づいて制御部が動作され接点端子９ａ、９ａ、・・・と接続端子２３ａ、２３ａ、・・・の接続状態が検出される。
【００９２】
上記のように、操作部３７によって検出スイッチ２７ａが操作されたときには、全ての接点端子９ａ、９ａ、・・・と接続端子２３ａ、２３ａ、・・・との接続状態の検出動作が行われ、操作部３７と検出スイッチ２７ａはこの検出動作を開始する検出作動部４２として機能する。
【００９３】
制御部の検出動作によって全ての接点端子９ａ、９ａ、・・・と接続端子２３ａ、２３ａ、・・・が接続されていることが検出されると、正常な接続状態である旨の信号が送出され、装置本体２とアダプター４及び交換レンズ５との間で正常な交信が行われる。
【００９４】
一方、制御部の検出動作によって少なくとも一つの接点端子９ａ、９ａ、・・・と接続端子２３ａ、２３ａ、・・・の接続が正常に行われていないことが検出されると、異常な接続状態である旨の信号が送出され、装置本体２とアダプター４及び交換レンズ５との間での交信が不能とされる。
【００９５】
アダプター４を装置本体２から取り外すときには、先ず、ロック片４０の操作ピン４０ｂを押圧する。ロック片４０の操作ピン４０ｂが押圧されると、ロック片４０が捩じりコイルバネ４１の付勢力に反して回動されてロック用係合部４０ａのロック突部１９ｃとの係合が解除され、アダプター４の装置本体２に対するロックが解除される。
【００９６】
次に、アダプター４の装置本体２に対するロックが解除された状態でロックレバー３０を操作してロック位置から非ロック位置まで移動させる。ロックレバー３０が非ロック位置まで移動されると、可動リング２６の係合部２８ａ、２８ｂ、２８ｃと係合突条部１２、１３、１４の係合が解除される。
【００９７】
ロックレバー３０が非ロック位置まで移動されたときには、同時に、クリック球３９が固定リング２５の嵌合凹部２５ａの真上に移動され、付勢バネ３８の付勢力によってクリック球３９の一部が嵌合凹部２５ａに挿入される。従って、ロックレバー３０が非ロック位置に移動された感触が使用者（操作者）に所謂クリック感として伝達される。
【００９８】
最後に、アダプター４を装置本体２から前方へ引き出すことにより、アダプター４が装置本体２から取り外される。
【００９９】
［変形例］
上記には、操作部３７が接触されて動作される接触型の検出スイッチ２７ａを例として示したが、検出スイッチは、例えば、以下のような非接触型のスイッチであってもよい（図１６及び図１７参照）。
【０１００】
固定リング２５の前面には配線板２７Ａの一端部が取り付けられている。配線板２７Ａは、例えば、フレキシブルプリント配線板であり、一端部が検出スイッチ２７ｂとして機能し、他端部が図示しない接続端子部として設けられている。検出スイッチ２７ｂとしては、例えば、磁気検出素子が用いられている。
【０１０１】
バネケース３３Ａはベース部３４と挿入軸部３５とアーム部３６とアーム部３６の先端部に設けられた操作部３７Ａとから成る。操作部３７Ａにはマグネットが組み込まれている。
【０１０２】
ロックレバー３０が非ロック位置にある状態においては、操作部３７Ａが配線板２７Ａの検出スイッチ２７ｂから周方向に離隔されている（図１６参照）。
【０１０３】
ロックレバー３０がロック位置に移動されると、操作部３７Ａが検出スイッチ２７ｂの前方に対向して位置される（図１７参照）。操作部３７Ａが検出スイッチ２７ｂの前方に対向して位置されると、操作部３７Ａと検出スイッチ２７ｂの間での磁界の変化に基づいて検出スイッチ２７ｂが動作され、接点端子９ａ、９ａ、・・・と接続端子２３ａ、２３ａ、・・・の接続状態を検出する検出動作が開始される。
【０１０４】
このように非接触型の検出スイッチ２７ｂを用いることにより、構造の簡素化を図った上で検出動作を行うことができる。また、検出スイッチ２７ｂに操作部３７Ａが接触されないため、検出スイッチ２７ｂの傷付きを防止することができる。
【０１０５】
非接触型の検出スイッチ２７ｂを用いた場合には、操作部３７Ａと検出スイッチ２７ｂが検出動作を開始する検出作動部４２Ａとして機能する。
【０１０６】
［その他］
上記には、検出スイッチ２７ａ、２７ｂが固定され操作部３７、３７Ａがロックレバー３０とともに移動される構成とされた例を示したが、逆に、操作部３７、３７Ａが固定され検出スイッチ２７ａ、２７ｂがロックレバー３０とともに移動される構成とすることも可能である。
【０１０７】
このように検出スイッチ２７ａ、２７ｂと操作部３７、３７Ａの一方が固定され他方がロックレバー３０とともに移動される構成にすることにより、簡易な構成でロックレバー３０の操作に伴って確実に検出動作を開始させることができる。
【０１０８】
また、上記には、ロックレバー３０がアダプター４に設けられた例を示したが、逆に、ロックレバーを装置本体２に設けることが可能である。
【０１０９】
［撮像装置の一実施形態］
以下に、本技術撮像装置の一実施形態によるデジタルスチルカメラのブロック図を示す（図１８参照）。
【０１１０】
撮像装置（デジタルスチルカメラ）１は、撮像機能を担うカメラブロック４３と、撮影された画像信号のアナログ−デジタル変換等の信号処理を行うカメラ信号処理部４４と、画像信号の記録再生処理を行う画像処理部４５とを有している。また、撮像装置１は、撮影された画像等を表示するディスプレイ４６と、メモリーカード１００への画像信号の書込及び読出を行うＲ／Ｗ（リーダ／ライタ）４７と、撮像装置１の全体を制御するＣＰＵ（Central Processing Unit）４８と、使用者によって所要の操作が行われる各種のスイッチ等の入力操作部２ａ、２ａ、・・・等と、カメラブロック４３に配置されたレンズの駆動を制御するレンズ駆動制御部４９とを備えている。
【０１１１】
カメラブロック４３は、交換レンズ５、アダプター４及び撮像素子８等によって構成されている。
【０１１２】
カメラ信号処理部４４は、撮像素子８からの出力信号に対するデジタル信号への変換、ノイズ除去、画質補正、輝度・色差信号への変換等の各種の信号処理を行う。
【０１１３】
画像処理部４５は、所定の画像データーフォーマットに基づく画像信号の圧縮符号化・伸張復号化処理や解像度等のデーター仕様の変換処理等を行う。
【０１１４】
ディスプレイ４６は使用者の入力操作部２ａ、２ａ、・・・等に対する操作状態や撮影した画像等の各種のデーターを表示する機能を有している。
【０１１５】
Ｒ／Ｗ４７は、画像処理部４５によって符号化された画像データーのメモリーカード１００への書込及びメモリーカード１００に記録された画像データーの読出を行う。
【０１１６】
ＣＰＵ４８は、撮像装置１に設けられた各回路ブロックを制御する制御処理部として機能し、入力操作部２ａ、２ａ、・・・等からの指示入力信号等に基づいて各回路ブロックを制御する。
【０１１７】
入力操作部２ａ、２ａ、・・・等は、例えば、電源釦、シャッター釦、モード切替摘子、ズームスイッチ等によって構成され、使用者による操作に応じた指示入力信号をＣＰＵ４８に対して出力する。
【０１１８】
レンズ駆動制御部４９は、ＣＰＵ４８からの制御信号に基づいてアダプター４を介して交換レンズ５の各レンズを駆動するモーター等を制御する。尚、レンズ駆動制御部４９はアダプター４の内部に配置されていてもよい。
【０１１９】
メモリーカード１００は、例えば、Ｒ／Ｗ４７に接続されたスロットに対して着脱可能な半導体メモリーである。
【０１２０】
以下に、撮像装置１における動作を説明する。
【０１２１】
撮影の待機状態では、ＣＰＵ４８による制御の下で、カメラブロック４３において撮影された画像信号が、カメラ信号処理部４４を介してディスプレイ４６に出力され、カメラスルー画像として表示される。また、入力操作部２ａ、２ａ、・・・等からのズーミングのための指示入力信号が入力されると、ＣＰＵ４８がレンズ駆動制御部４９に制御信号を出力し、レンズ駆動制御部４９の制御に基づいて交換レンズ５の所定のレンズが移動される。
【０１２２】
入力操作部２ａ、２ａ、・・・等からの指示入力信号によりカメラブロック４３の図示しないシャッターが動作されると、撮影された画像信号がカメラ信号処理部４４から画像処理部４５に出力されて圧縮符号化処理され、所定のデーターフォーマットのデジタルデーターに変換される。変換されたデーターはＲ／Ｗ４７に出力され、メモリーカード１００に書き込まれる。
【０１２３】
ズーミングは、例えば、入力操作部（ズーム摘子）２ａが操作された場合に、ＣＰＵ４８からの制御信号に基づいてレンズ駆動制御部４９が交換レンズ５の所定のレンズを移動させることにより行われる。
【０１２４】
フォーカシングは、例えば、入力操作部（シャッター釦）２ａが半押しされた場合や記録（撮影）のために全押しされた場合等に、ＣＰＵ４８からの制御信号に基づいてレンズ駆動制御部４９が交換レンズ５の所定のレンズを移動させることにより行われる。
【０１２５】
メモリーカード１００に記録された画像データーを再生する場合には、入力操作部２ａ、２ａ、・・・等に対する操作に応じて、Ｒ／Ｗ４７によってメモリーカード１００から所定の画像データーが読み出され、画像処理部４５によって伸張復号化処理が行われた後、再生画像信号がディスプレイ４６に出力されて再生画像が表示される。
【０１２６】
［まとめ］
以上に記載した通り、ロック位置と非ロック位置の間で操作されロック位置に操作されて装置本体２に対するロックを行うロックレバー３０を設け、ロックレバー３０がロック位置に操作されたときに複数の接点端子９ａ、９ａ、・・・と複数の接続端子２３ａ、２３ａ、・・・との接続状態の検出動作が開始される。
【０１２７】
従って、複数の接点端子９ａ、９ａ、・・・と複数の接続端子２３ａ、２３ａ、・・・とが接続された状態において検出動作が行われるため、接点端子９ａ、９ａ、・・・と接続端子２３ａ、２３ａ、・・・の接続状態に関する正確な検出動作を確保することができる。
【０１２８】
また、検出スイッチ２７ａ、２７ｂが固定され操作部３７、３７Ａがロックレバー３０とともに移動される構成にすることにより、検出スイッチ２７ａ、２７ｂの配線の引き回しを容易に行うことができる。
【０１２９】
さらに、操作部３７、３７Ａがバネケース３３、３３Ａの一部としてロックレバー３０に取り付けられているため、省スペース化による小型化及び構造の簡素化を図ることができる。
【０１３０】
加えて、付勢バネ３８を保持するバネケース３３、３３Ａに操作部３７、３７Ａが設けられているため、部品点数の削減及び構造の簡素化による製造コストの低減を図ることができる。
【０１３１】
［本技術］
本技術は、以下のような構成にすることができる。
【０１３２】
（１）複数の接点端子を有する装置本体に着脱可能とされ、前記装置本体に取り付けられたときに前記複数の接点端子にそれぞれ接続されて前記装置本体との間で信号の送受信を行う複数の接続端子と、ロック位置と非ロック位置の間で操作され前記ロック位置に操作されて前記装置本体に対するロックを行うロックレバーと、前記ロックレバーが前記ロック位置に操作されたときに前記複数の接点端子と前記複数の接続端子との接続状態の検出動作を開始する検出作動部とを備えたアクセサリー。
【０１３３】
（２）前記検出作動部が検出スイッチと前記検出スイッチを操作して前記検出スイッチを動作させる操作部とから成り、前記検出スイッチと前記操作部の一方が固定された状態で配置され、前記検出スイッチと前記操作部の他方が前記ロックレバーとともに移動されるようにした前記（１）に記載のアクセサリー。
【０１３４】
（３）前記検出スイッチが固定された状態で配置され、前記操作部が前記ロックレバーとともに移動されるようにした前記（２）に記載のアクセサリー。
【０１３５】
（４）前記操作部がロックレバーに取り付けられた前記（３）に記載のアクセサリー。
【０１３６】
（５）前記検出スイッチとして前記操作部の接触により動作される接触型のスイッチを用い、前記操作部の前記検出スイッチに接する部分の外面が外方へ凸の曲面状に形成された前記（２）から前記（４）の何れかに記載のアクセサリー。
【０１３７】
（６）前記検出スイッチとして磁界の変化に基づいて動作される非接触型のスイッチを用いた前記（２）から前記（４）の何れかに記載のアクセサリー。
【０１３８】
（７）前記ロックレバーの移動に伴って移動されるクリック球と、前記クリック球が転動される転動面を有し前記クリック球が嵌合可能な嵌合凹部が形成された固定部と、前記クリック球を前記転動面に押し付ける付勢バネとを設け、前記ロックレバーがロック位置に移動されたときに前記クリック球が前記嵌合凹部に嵌合されるようにした前記（１）から前記（６）の何れかに記載のアクセサリー。
【０１３９】
（８）前記付勢バネを保持するバネケースを設け、前記バネケースに前記操作部を設けた前記（７）に記載のアクセサリー。
【０１４０】
（９）複数の接点端子を有する装置本体と、前記装置本体に着脱可能とされると共に前記装置本体に取り付けられたときに前記複数の接点端子にそれぞれ接続されて前記装置本体との間で信号の送受信を行う複数の接続端子を有するアクセサリーとを備え、ロック位置と非ロック位置の間で操作され前記ロック位置に操作されて前記装置本体に対する前記アクセサリーのロックを行うロックレバーと、前記ロックレバーが前記ロック位置に操作されたときに前記複数の接点端子と前記複数の接続端子との接続状態の検出動作を開始する検出作動部とを設けた撮像装置。
【０１４１】
（１０）複数の接点端子を有する装置本体に複数の接続端子を有するアクセサリーが取り付けられて前記複数の接点端子と前記複数の接続端子とがそれぞれ接続され、ロック位置と非ロック位置の間で操作されるロックレバーが前記ロック位置に操作されて前記アクセサリーが前記装置本体にロックされるときに前記複数の接点端子と前記複数の接続端子との接続状態の検出動作が開始されるようにした検出方法。
【０１４２】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１４３】
【図１】図２乃至図１８と共に本技術の最良の形態を示すものであり、本図は、撮像装置の斜視図である。
【図２】撮像装置の分解斜視図である。
【図３】装置本体の正面図である。
【図４】アダプターの斜視図である。
【図５】アダプターの背面図である。
【図６】ロックレバー等を示す拡大分解斜視図である。
【図７】固定リングと可動リングとロックレバーを示す斜視図である。
【図８】ロックレバー等を示す拡大斜視図である。
【図９】図１０乃至図１５と共にアダプターの装置本体に対する着脱時の動作を示すものであり、本図は、ロックレバーが非ロック位置にあるときのロック片等の状態を一部を断面にして示す概略正面図である。
【図１０】ロックレバーが非ロック位置にあるときの検出スイッチに対する操作部の位置等を一部を断面にして示す概略拡大側面図である。
【図１１】ロックレバーが非ロック位置にあるときの検出スイッチに対する操作部の位置等を示す拡大斜視図である。
【図１２】ロックレバーが非ロック位置からロック位置へ向けて操作されている途中の検出スイッチに対する操作部の位置等を一部を断面にして示す概略拡大側面図である。
【図１３】ロックレバーがロック位置にあるときのロック片等の状態を一部を断面にして示す概略正面図である。
【図１４】ロックレバーがロック位置にあるときの検出スイッチに対する操作部の位置等を一部を断面にして示す概略拡大側面図である。
【図１５】ロックレバーがロック位置にあるときの検出スイッチに対する操作部の位置等を示す拡大斜視図である。
【図１６】図１７と共に検出スイッチとして非接触型のスイッチが用いられたれいを示すものであり、本図は、ロックレバーが非ロック位置にあるときの検出スイッチに対する操作部の位置等を示す拡大斜視図である。
【図１７】ロックレバーがロック位置にあるときの検出スイッチに対する操作部の位置等を示す拡大斜視図である。
【図１８】撮像装置のブロック図である。
【符号の説明】
【０１４４】
１…撮像装置、２…装置本体、３…アクセサリー、９ａ…接点端子、２３ａ…接続端子、２５…固定リング（固定部）、２５ｂ…嵌合凹部、２７ａ…検出スイッチ、３０…ロックレバー、３３…バネケース、３７…操作部、３７ａ…外面、３８…付勢バネ、３９…クリック球、４２…検出作動部、２７ｂ…検出スイッチ、３３Ａ…バネケース、３７Ａ…操作部、４２Ａ…検出作動部
【図１】
2013068833.tif 000003
【図２】
2013068833.tif 000004
【図３】
2013068833.tif 000005
【図４】
2013068833.tif 000006
【図５】
2013068833.tif 000007
【図６】
2013068833.tif 000008
【図７】
2013068833.tif 000009
【図８】
2013068833.tif 000010
【図９】
2013068833.tif 000011
【図１０】
2013068833.tif 000012
【図１１】
2013068833.tif 000013
【図１２】
2013068833.tif 000014
【図１３】
2013068833.tif 000015
【図１４】
2013068833.tif 000016
【図１５】
2013068833.tif 000017
【図１６】
2013068833.tif 000018
【図１７】
2013068833.tif 000019
【図１８】
2013068833.tif 000020